(57)【特許請求の範囲】
【請求項１】
電気施設の異常発生を通報する異常通報装置において、
監視対象の電気施設に設置される異常検出装置と、中央通報装置とを有し、
前記異常検出装置は、前記電気施設の異常を検知し、異常の有無を前記中央通報装置に通信回線を通じて通知するものであり、
前記中央通報装置は、通報先登録手段と、通報制御手段と、確認手段と、異常検出装置の設置された地区の地図情報を登録した地図情報登録手段を有し、
前記通報先登録手段は、通報先の電話番号を前記異常検出装置に対応付けて登録し、一の異常検出装置に対応付けて複数の通報先の電話番号を優先順位を付けて登録し得るものであり、通報先が地図情報を送信すべき相手先であるか否かを登録する機能を有し、
前記通報制御手段は、前記異常検出装置から異常発生の通知があったとき、その異常検出装置に対応付けられている通報先の電話番号に電話をして異常の発生を通知するための音声情報を送出し、前記異常検出装置から復旧の通知があったとき、その異常検出装置に対応付けられている通報先の電話番号に電話をして異常の復旧を通知するための音声情報を送出し、地図情報を送信すべき通報先に異常発生を通報するとき、異常発生の通知があった異常検出装置の設置されている地区の地図情報を前記地図情報登録手段から取得し、当該地図情報を含む警報情報を前記音声情報に代えてまたは音声情報とともに前記通報先に送信し、前記地図情報を含む警報情報の通報先はカーナビゲーションシステムであり、人工衛星を用いた通報システムを介して警報情報を通報先のカーナビゲーションシステムに送るとともに、予め定めた時間帯にのみ前記地図情報を含む警報情報の送信を実行し、前記異常検出装置から異常発生の通知があったとき、その異常検出装置に対応付けられている通報先の中で最も優先順位の高い通報先から通報処理を開始し、予め定めた再試行回数の電話をしても通報処理が完了しないとき、次に優先順位の高いものに通報先を切り替えて通報処理を行うものであり、
前記確認手段は、前記通報制御手段が電話をした通報先から確認信号が返送されてくるか否かを監視し、前記確認信号が返送されてきたとき前記通報制御手段による通報処理を完了させるものであり、
異常発生の状況および通報状況を守衛室の表示盤に表示するための警報表示信号を出力する
ことを特徴とする異常通報装置。
【請求項２】
コンピュータを、請求項１に記載の異常通報装置の中央通報装置として機能させるためのプログラム。
【発明の詳細な説明】
【０００１】
【発明の属する技術分野】
本発明は、電気施設の異常発生を通報する異常通報装置に関する。
【０００２】
【従来の技術】
ビル等の電気施設の保守管理は、主任技術者によって行われており、担当の主任技術者が月に１回の点検を励行していた。また漏電などの異常が発生した場合には、ビルの管理者が主任技術者に電話連絡をとって保守を依頼するようになっていた。
【０００３】
【発明が解決しようとする課題】
主任技術者が直接、現場に出向いて点検する場合、一人の主任技術者によって担当可能なビルの数がある程度少なく制限されてしまう。たとえば１日に１つのビルの点検が可能であるとすると月に約３０件が限界になり、各ビルを月に１回の点検をするとした場合、一人の主任技術者が担当可能なビルの数は約３０が上限になってしまう。一方、ビルの管理者は、異常が発生した場合には、担当の主任技術者に自ら連絡しなければならず、手間を要していた。
【０００４】
本発明は、このような従来の問題点に着目してなされたもので、電気施設の異常発生を主任技術者に自動通報することのできる異常通報装置を提供することを目的としている。
【０００５】
【課題を解決するための手段】
かかる目的を達成するための本発明の要旨とするところは、次の各項の発明に存する。
［１］電気施設の異常発生を通報する異常通報装置において、
監視対象の電気施設に設置される異常検出装置（１２０）と、中央通報装置（１３０）とを有し、
前記異常検出装置（１２０）は、前記電気施設の異常を検知し、異常の有無を前記中央通報装置（１３０）に通信回線を通じて通知するものであり、
前記中央通報装置（１３０）は、通報先登録手段と、通報制御手段と、確認手段と、異常検出装置（１２０）の設置された地区の地図情報を登録した地図情報登録手段を有し、
前記通報先登録手段は、通報先の電話番号を前記異常検出装置（１２０）に対応付けて登録し、一の異常検出装置（１２０）に対応付けて複数の通報先の電話番号を優先順位を付けて登録し得るものであり、通報先が地図情報を送信すべき相手先であるか否かを登録する機能を有し、
前記通報制御手段は、前記異常検出装置（１２０）から異常発生の通知があったとき、その異常検出装置（１２０）に対応付けられている通報先の電話番号に電話をして異常の発生を通知するための音声情報を送出し、前記異常検出装置（１２０）から復旧の通知があったとき、その異常検出装置（１２０）に対応付けられている通報先の電話番号に電話をして異常の復旧を通知するための音声情報を送出し、地図情報を送信すべき通報先に異常発生を通報するとき、異常発生の通知があった異常検出装置（１２０）の設置されている地区の地図情報を前記地図情報登録手段から取得し、当該地図情報を含む警報情報を前記音声情報に代えてまたは音声情報とともに前記通報先に送信し、前記地図情報を含む警報情報の通報先はカーナビゲーションシステム（７０）であり、人工衛星を用いた通報システムを介して警報情報を通報先のカーナビゲーションシステム（７０）に送るとともに、予め定めた時間帯にのみ前記地図情報を含む警報情報の送信を実行し、前記異常検出装置（１２０）から異常発生の通知があったとき、その異常検出装置（１２０）に対応付けられている通報先の中で最も優先順位の高い通報先から通報処理を開始し、予め定めた再試行回数の電話をしても通報処理が完了しないとき、次に優先順位の高いものに通報先を切り替えて通報処理を行うものであり、
前記確認手段は、前記通報制御手段が電話をした通報先から確認信号が返送されてくるか否かを監視し、前記確認信号が返送されてきたとき前記通報制御手段による通報処理を完了させるものであり、
異常発生の状況および通報状況を守衛室の表示盤に表示するための警報表示信号を出力する
ことを特徴とする異常通報装置。
【０００６】
［２］コンピュータを、項［１］に記載の異常通報装置の中央通報装置（１３０）として機能させるためのプログラム。
【００１３】
前記本発明は次のように作用する。
監視対象の電気施設に設置された異常検出装置（１２０）は、電気施設の異常の有無を中央通報装置（１３０）に通信回線を通じて通知する。中央通報装置（１３０）の通報先登録手段には、主任技術者など通報先となる者の電話番号がその者の担当するビルに設置した異常検出装置（１２０）に対応付けて登録してある。中央通報装置（１３０）の通報制御手段は、異常検出装置（１２０）から異常発生の通知を受けると、その異常検出装置（１２０）に対応付けられている通報先の電話番号に電話をして異常の発生を音声情報（たとえば「○○ビルで停電がありました。」というメッセージ）で通報する。そして、電話をした通報先から所定のＤＴＭＦ（Ｄｕａｌ  Ｔｏｎｅ  Ｍｕｌｔｉｐｌｅ  Ｆｒｅｑｕｅｎｃｙ）音等の確認信号が返送されてくるか否かを監視し、確認信号が返送されてきたとき通報処理を完了させる。
【００１４】
このように、異常発生を音声情報で通報するので、携帯電話など一般の電話機を利用して異常の発生を主任技術者等に通知することができる。また、確認信号が返送されてきたことを条件に通報処理を完了させるので、通報先の主任技術者が実際に異常の発生を認識したことをもって通報処理を完了させることができ、より確実な通報が可能になる。
【００１５】
異常検出装置（１２０）から復旧の通知があったとき、その旨を対応する通報先に音声情報で通報するものでは、たとえば、異常発生後すぐに復旧したような際に、現場到着前の主任技術者等に復旧が通知され、緊急性の低下に伴う的確な対処が可能になる。
【００１６】
異常発生の状況および通報状況を守衛室の表示盤に表示するための警報表示信号を出力するものでは、主任技術者等への通報が不能に終わった場合などでも常駐の守衛等による対応が可能になる。
【００１７】
異常発生の通知があった異常検出装置（１２０）の設置されている地区の地図情報を含む警報情報を通報先に送信するものでは、代理の主任技術者など現場への行き方に不案内な者への通報に有効である。
【００１８】
特に、地図情報を含む警報情報をカーナビゲーションシステム（７０）に送信するものでは、現場への行き方に不案内な主任技術者等を的確に現場に案内することができる。さらに、カーナビゲーションシステム（７０）への自動通報を予め定めた時間帯のみに制限するものでは、車に乗っているであろう勤務時間だけに絞ってカーナビゲーションシステム（７０）への通報を行うことができる。
【００１９】
一の異常検出装置（１２０）に対応付けて複数の通報先の電話番号を優先順位を付けて登録し、異常検出装置（１２０）から異常発生の通知があったとき、最も優先順位の高い通報先から通報処理を開始し、予め定めた再試行回数の電話をしても通報処理が完了しないとき、次に優先順位の高いものに通報先を切り替えて通報処理を行うものでは、より確実な通報が可能になる。
【００２０】
【発明の実施の形態】
以下、図面に基づき本発明の一実施の形態を説明する。
各図は、本発明の一実施の形態を示している。
図１は、本実施の形態にかかる異常警報装置を含む警報システム１００の全体構成を示している。異常警報装置は、中央通報装置１３０と、監視対象のビル１０に設置され、電気施設の異常を検知し、異常の有無を示す監視情報を中央通報装置１３０に公衆回線２１を通じて通知する異常検出装置１２０とから構成される。
【００２１】
通信制御盤３０は、公衆回線２１を通じて異常検出装置１２０と接続されており、異常検出装置１２０から送られてくる監視情報の収集装置としての機能を有する。通信制御盤３０と中央通報装置１３０はＬＡＮ（Ｌｏｃａｌ  Ａｒｅａ  Ｎｅｔｗｏｒｋ）で接続されている。また中央通報装置１３０には当該ＬＡＮを通じて中央監視システム４０としての本社コンピュータ４１および守衛室に設置されたコントローラ盤４２が接続されている。コントローラ盤４２にはさらにシリアル通信により液晶タッチパネル４３が接続されている。またこのＬＡＮを通じてプリンタサーバ５１が接続され、当該プリンタサーバ５１の配下にはメッセージプリンタ５２とロギングプリンタ５３が接続されている。
【００２２】
中央通報装置１３０は、フェールセーフのための２重系を構成する２台のパーソナルコンピュータ１３１、１３２と、パーソナルコンピュータ１３１、１３２にそれぞれ接続された音声装置１４１、１４２と、音声装置１４１、１４２の双方と接続され、これのうちの何れか一方を公衆回線２２と接続する切替器１４３と、公衆回線２３およびパーソナルコンピュータ１３１、１３２の双方と接続された地図情報通信装置１４４とから構成される。パーソナルコンピュータ１３１、１３２にはそれぞれ、入力装置としてマウス、キーボードが接続されている。また外部記憶装置として光磁気ディスクが、表示装置としてＣＲＴディスプレイが接続されている。
【００２３】
パーソナルコンピュータ１３１、１３２が正常に動作しているか否かは、通信制御盤３０が監視しており、正常に動作しているものの出力（双方正常な場合には、いずれか選択した一方の出力）を通報に用いるようになっている。
【００２４】
通報先となる受信機器には、移動電話、インターネットに接続可能な携帯電話、固定電話などの電話機６０と、カーナビゲーションシステム７０とがある。地図情報通信装置１４４からの出力は公衆回線２３を通じて衛星配信システム７１に送られるようになっている。カーナビゲーションシステム７０は、地図情報通信装置１４４から受信した地図情報等を指定された宛先のカーナビゲーションシステム７０へ人工衛星を介して送信するシステムである。
【００２５】
パーソナルコンピュータ１３１、１３２は、通報先登録手段と、通報制御手段と、確認手段としての機能を有している。通報先登録手段は、通報先の電話番号を異常検出装置１２０（ビル単位）に対応付けて登録するものである。通報制御手段は、異常検出装置１２０から異常発生の通知があったとき、その異常検出装置１２０に対応付けられている通報先の電話番号に電話をして異常の発生を通報する機能を果たす。通報内容は、音声装置１４１、１４２において音声メッセージに変換される。確認手段は、通報先から確認信号が返送されてくるか否かを監視し、確認信号が返送されてきたときに通報処理を完了させる機能を果たす。ここで確認信号として通報先の電話機６０から所定のＤＴＭＦ音（たとえば＃０１など）を受け取るようになっている。
【００２６】
より詳細には、パーソナルコンピュータ１３１、１３２は、コードマスタとビルマスタと主任技術者マスタと管理者マスタとを含むデータベース部と、通報処理実行部の機能を有する。データベース部は通報先登録手段としての機能を含み、通報処理実行部は通報制御手段および確認手段としての機能を含む。
【００２７】
次に、中央通報装置１３０における各種の画面とマスタへの登録内容について説明する。
図２は、中央通報装置１３０におけるメイン画面２００を示している。メイン画面２００では、各ビルの警報発生状態、通報先、通報状態等の履歴が履歴表示部２０１に一覧表示される。地区選択部２０２は、履歴を表示すべき地区の選択欄である。出力順選択部２０３は、履歴一覧の表示順の選択欄である。出力順には、発生中優先と、発生日時昇順と、発生日時降順とがある。発生中優先では、警報が発生中のものから順に上から表示される。発生日時昇順では、発生日時の古いものから順に上から表示される。発生日時降順では、発生日時の新しいものから順に上から表示される。
【００２８】
履歴保存ボタン２０４が押下されると、現在表示されている警報履歴が保存される。詳細情報ボタン２０５が押下されると、選択されている警報の詳細情報が表示される。手動通報ボタン２０６は、自動通報が不能に終わった場合等に手動で通報をする際に押下するボタンである。印刷ボタン２０７が押下されると、現在表示されている警報履歴が印刷される。マスタメンテボタン２０８は、各種マスタの設定登録を行う際に押下するボタンである。削除ボタン２０９を押下すると、選択した警報履歴が削除される。閉じるボタン２１０は本システムの動作を終了するためのボタンであり、ブザー停止ボタン２１１は警報が発生した時に鳴動するブザーを停止させるためのボタンである。
【００２９】
図３は、メイン画面２００において詳細情報ボタン２０５が押下された際に表示される詳細情報画面３００を示している。詳細情報画面３００には、ビル詳細欄３０１と、担当者欄３０２と、主任技術者欄３０３と、内容欄３０４と、地図欄３０５が表示される。また画面の下部には、印刷ボタン３０６と、報告書ボタン３０７と、閉じるボタン３０８が表示される。
【００３０】
ビル詳細欄３０１には、ビルの在る地区、ビルコード、ビル名称、郵便番号、住所、電話番号、監視状況、リース開始日、リース終了日が表示される。担当者欄３０２には、各ビルの担当者の部署名、氏名、電話番号が表示される。主任技術者欄３０３には、各ビルに登録されている主任技術者のコード、氏名、電話番号が、優先順位の高い順に表示される。内容欄３０４には、異常の発生日時、復旧日時、警報内容、通報状況が表示される。地図欄３０５には、ビルの所在地を表す地図が表示される。
【００３１】
印刷ボタン３０６を押下すると詳細情報画面３００が印刷され、報告書ボタン３０７を押下すると報告書作成画面が表示される。閉じるボタン３０８を押下すると詳細情報画面３００を終了しメイン画面２００に戻るようになっている。
【００３２】
図４は、メイン画面２００において手動通報ボタン２０６を押下した場合に表示される手動通報画面４００を示している。自動通報できなかった場合に当該画面から手動通報し得るようになっている。通報先一覧表示部４０１には、各ビルに登録されている通報先（上部の欄に主任技術者、下部の欄に管理者）の氏名、電話番号が表示される。通報先一覧表示部４０１において手動通報すべき通報先を選択するとその部分が青色で反転表示される。この状態で通報ボタン４０２を押下すると、手動通報するか否かを問合せるメッセージボックスが表示され、ここで「はい」を選択すると先に選択した相手先への通報が実行されるようになっている。
【００３３】
図５は、メイン画面２００においてマスタメンテボタン２０８を押下した際に表示されるマスタメンテナンス画面５００を示している。この画面では、編集するデータベース（マスタ）等の選択を行うようになっている。
【００３４】
図６は、コードマスタの編集を行うためのコードマスタ登録画面６００を示している。コードマスタには、管理対象となるビルの存する地区名、履歴の出力順、警報内容、通報状況などの具体的内容と処理上のコードとの対応付けを登録するものである。コードマスタ登録画面６００には、項目欄６０１と、種類欄６０２と、編集欄６０３と、登録ボタン６０４と、削除ボタン６０５と、閉じるボタン６０６が表示される。項目欄６０１には、新規登録／変更／削除を行う対象項目が一覧表示される。項目欄６０１で一の項目を選択するとその部分が青色で反転表示される。
【００３５】
種類欄６０２には、項目欄６０１において選択した項目に対して登録されている内容が表示される。たとえば、図６では、項目欄６０１において項目「警報内容」が選択されているので、種類欄６０２には、警報内容に対応する種類として「温度」、「地絡」、「停電」、「異常」が表示されている。編集欄６０３は、新規登録したい内容、あるいは既に登録されている内容を変更したい場合にはその内容を入力する部分である。
【００３６】
新規登録の場合には入力後、登録ボタン６０４を押下すると、登録するか否かを問合せるメッセージボックスが表示され、ここで「はい」を選択すると登録が完了するようになっている。変更する場合には、種類欄６０２において変更したい項目を選択すると、その内容が編集欄６０３に表示され、編集欄６０３の内容を修正し、登録ボタン６０４を押下すればよい。削除の場合は、項目欄６０１、種類欄６０２において削除したい項目を選択し削除ボタン６０５を押下すればよい。
【００３７】
マスタメンテナンス画面５００でビルマスタを選択すると、図示省略するビルマスタ一覧が表示される。既に登録されているビルマスタを変更する場合には、一覧の中で目的のビルを選択して変更ボタンを押下する。新規登録の場合は新規登録ボタンを押下する。
【００３８】
図７は、ビルマスタの登録編集を行うためのビルマスタ登録画面７００を示している。ビルマスタには、ビル毎の情報（住所・ビル名等）とそのビルについての通報先が登録される。ビル情報欄７０１には、地区名、ビルコード、ビル名、住所、電話番号、監視状況等の項目が表示され、それぞれの項目内容を編集することができる。
【００３９】
主任技術者欄７０２には、この画面に登録するビルで警報が発生したときの通報先の主任技術者および通報優先順位を登録する。管理者欄７０３には、この画面に登録するビルで警報が発生したときの通報先の管理者および通報優先順位を登録する。担当者欄７０４には、この画面に登録するビルの担当者の部署名、電話番号を登録する。
【００４０】
警報情報欄７０５には、各ビルで監視する警報内容を登録する。異常検出装置１２０からの警報信号には通信制御盤３０においてコードが割り当てられており、ここでは、そのビルにおけるコードと警報内容との対応関係を登録するようになっている。登録ボタン７０６は、入力したビル情報をビルマスタに登録する際に押下するボタンである。削除ボタン７０７を押下すると現在表示されているビル情報が削除される。印刷ボタン７０８を押下すると本画面が印刷される。閉じるボタン７０９を押下するとビルマスタ登録画面を終了する。
【００４１】
図８は、主任技術者マスタの登録編集を行うための主任技術者登録画面８００を示している。主任技術者マスタには、内部処理用に割り当てたコード、主任技術者の氏名、電話番号が対応付けて登録される。主任技術者登録画面８００には、主任技術者一覧８０１と、編集欄８０２と、登録ボタン８０３と、削除ボタン８０４と、印刷ボタン８０５と、閉じるボタン８０６が表示される。
【００４２】
主任技術者一覧８０１には、既に登録されている主任技術者のコード、氏名、電話番号が一覧表示される。新規登録の場合には、新規登録したい主任技術者のコード、氏名、電話番号を編集欄８０２に入力し、登録ボタン８０３を押下すると、登録するか否かを問合せるメッセージボックスが表示され、ここで「はい」を選択すると登録が完了するようになっている。変更する場合には、主任技術者一覧８０１において変更したい主任技術者を選択すると、その内容が編集欄８０２に表示され、編集欄８０２の内容を修正し、登録ボタン８０３を押下すればよい。削除の場合は、主任技術者一覧８０１において削除したい主任技術者を選択し削除ボタン８０４を押下すればよい。印刷ボタン８０５を押下すると本画面が印刷される。閉じるボタン８０６を押下すると主任技術者マスタ登録画面を終了する。
【００４３】
図９は、管理者マスタの登録編集を行うための管理者登録画面９００を示している。管理者マスタには、内部処理用に割り当てたコード、管理者の氏名、電話番号が対応付けて登録される。管理者登録画面９００には、管理者一覧９０１と、編集欄９０２と、登録ボタン９０３と、削除ボタン９０４と、印刷ボタン９０５と、閉じるボタン９０６が表示される。
【００４４】
管理者一覧９０１には、既に登録されている管理者のコード、氏名、電話番号が一覧表示される。新規登録の場合には、新規登録したい管理者のコード、氏名、電話番号を編集欄９０２に入力し、登録ボタン９０３を押下すると、登録するか否かを問合せるメッセージボックスが表示され、ここで「はい」を選択すると登録が完了するようになっている。変更する場合には、管理者一覧９０１において変更したい管理者を選択すると、その内容が編集欄９０２に表示され、編集欄９０２の内容を修正し、登録ボタン９０３を押下すればよい。削除の場合は、管理者一覧９０１において削除したい管理者を選択し削除ボタン９０４を押下すればよい。印刷ボタン９０５を押下すると本画面が印刷される。閉じるボタン９０６を押下すると管理者マスタ登録画面を終了する。
【００４５】
図１０は、通報処理における各種設定を行うための通報設定画面１０００を示している。この画面では、通報リトライ回数、通話制限時間、守衛室警報出力設定等を設定し得るようになっている。通報リトライ回数は、一人の主任技術者または管理者へ通報ができなかったときの再試行回数である。守衛室警報出力設定とは、守衛室の液晶タッチパネル４３へ、中央通報装置１３０での警報一括表示を行うかどうかの設定である。
【００４６】
次に、本システムの動作について説明する。
各ビルの電気施設に設置された異常検出装置１２０は、漏電、停電の有無等を常時監視し、監視結果を公衆回線２１を通じて通信制御盤３０へ送信する。監視結果は、コード化された情報で送信される。通信制御盤３０は、公衆回線２１を通じて受信した監視結果をＬＡＮを通じてパーソナルコンピュータ１３１、１３２へ送信する。
【００４７】
図１１は、中央通報装置１３０が行う処理の流れを示している。
中央通報装置１３０のパーソナルコンピュータ１３１、１３２は、各ビルに設置されている異常検出装置１２０から公衆回線２１を通じて監視結果を受信し（ステップＳ１１０１）、監視結果が異常の発生を示すものである場合には（ステップＳ１１０２；Ｙ）、異常通報のための通報ジョブを登録する（ステップＳ１１０３）。一方、監視結果が、異常の復旧を示すものである場合には（ステップＳ１１０４；Ｙ）、復旧通報のための通報ジョブを登録する（ステップＳ１１０５）。登録された通報ジョブは、図１２に示す処理により、完了あるいは通報不能が確定するまで実行される。なお、メイン画面２００において閉じるボタン２１０が押下されると（ステップＳ１１０６；Ｙ）、本システムは動作を終了する（エンド）。
【００４８】
なお、通報ジョブとして、通報要因の発生したビルコード、異常や復旧を示すコード、発生日時等が登録される。また、通報ジョブの発生により、その通報に対応する履歴が登録される。
【００４９】
図１２は、通報ジョブを実行する処理の流れを示している。登録されている通報ジョブのビルコードによってビルマスタを参照し、そのビルの詳細情報を読み出し、通報先の主任技術者等の電話番号を取得する。当該情報に基づき、まず、最も優先順位の高い主任技術者を今回の通報先に設定し（ステップＳ１２０１）、その設定した通報先に電話をかける。（ステップＳ１２０２）。
【００５０】
正常に着呼されて通話が開始した場合には（ステップＳ１２０３；Ｙ）、通報すべき内容（異常や復旧を示すコードに応じた内容）に対応した音声メッセージを作成し、これを電話の相手方に向けて流す（ステップＳ１２０４）。たとえば、「○○ビルで、停電が発生しました。」等の音声メッセージを流す。これに続けて、相手方がこの音声メッセージを聞き、内容を確認した旨の応答を求める入力要求メッセージを流す。たとえば「通報内容を確認された場合は、＃０１を押してください。もう一度、通報内容を聞きたい場合は、＃０２を押してください。」等のメッセージを流す。
【００５１】
電話の相手方から＃０１のＤＴＭＦ音が返ってきた場合には（ステップＳ１２０６；Ｙ）、通報ジョブが完了した旨の登録を行う（ステップＳ１２０７）。電話の相手方から＃０２のＤＴＭＦ音が返送された場合には、通報用の音声メッセージを再度流し、再度、確認の入力要求メッセージを流す。入力要求メッセージを流してから一定時間が経過しても＃０１のＤＴＭＦ音を確認できないとき、あるいはそれまでに相手方から回線が切断された場合には（ステップＳ１２０６；Ｎ）、回線を切断する（ステップＳ１２０９）。また電話をしても繋がらない場合も（ステップＳ１２０３；Ｙ、１２０８；Ｙ）、一旦回線を切断する（ステップＳ１２０９）。
【００５２】
そして、当該通報先に対する通報リトライ回数が上限に達していなければ（ステップＳ１２１０；Ｎ）、数十秒の待機時間を経てから再度、同じ通報先へ電話する（ステップＳ１２０２）。一方、通報リトライ回数が上限に達した場合には（ステップＳ１２１０；Ｙ）、次に優先順位の高い通報先が存在するか否かを調べ（ステップＳ１２１１）、存在する場合には（ステップＳ１２１１；Ｙ）、通報先を次に優先順位の高いものに変更し、ステップＳ１２０２に戻り、その通報先へ電話する。
【００５３】
次の通報先がない場合には（ステップＳ１２１１；Ｎ）、通報が不能であった旨を登録し（ステップＳ１２１３）、通報ジョブを終了する（エンド）。なお、通信不能に終わった場合には、守衛室など常駐する者の居る場所に警報が出され、手動送信や常駐する守衛等によって別の対応措置が採られるようになっている。また中央通報装置１３０は、通報設定画面１０００において、守衛室警報出力設定を行うことにより、異常発生の状況および通報状況を守衛室の液晶タッチパネル４３に表示するための警報表示信号を出力するようになっている。これにより液晶タッチパネル４３には、各ビルでの異常の発生状況や通報状況が表示される。
【００５４】
次に、通報先に地図情報を送る場合について説明する。
地図情報を送信可能なシステムでは、主任技術者マスタ等に通報先に関する情報を登録する際に、カーナビゲーションシステム７０等へ地図情報を送信すべき相手か否かの情報が登録可能になっている。通報先に地図情報を送信すべき場合には、現在時刻が地図情報の送信の許容される時間帯（相手の勤務時間帯）か否かを調べ、勤務時間帯外であれば、その通報先をスキップして次に優先順位の高い通報先に移行する。
【００５５】
勤務時間帯内であれば、異常あるいは復旧のあったビルの所在地の地図情報を含む通報情報を作成し、これを衛星配信システム７１に公衆回線２３を通じて送信する。衛星配信システム７１に送信する通報情報には、警報内容、地図情報および送信先となるカーナビゲーションシステム７０の識別情報等が含まれる。衛星配信システム７１は、公衆回線２３を通じて中央通報装置１３０から通報情報を受け取ると、人工衛星を介して目的のカーナビゲーションシステム７０に対して地図情報を含む通報情報を送信する。
【００５６】
以上説明した実施の形態では、復旧した場合にも通報するように構成したが、たとえば、異常が発生したことの通報が完了している場合にだけ、復旧の通報を行ったり、異常の発生を通報してから所定時間内（主任技術者が現場に到着する前）に復旧した場合にだけ、復旧の通報を行うように構成してもよい。
【００５７】
また、通報中の場合には、詳細情報画面３００において現時点で通報を試みている主任技術者やその者へ試みた通報リトライ回数などを表示するように構成してもよい。さらに履歴等において、最終的に通報の行われた通報先を明示するように構成してもよい。なお、カーナビゲーションシステム７０に代えて、携帯電話などに対して地図情報を送信するように構成してもよい。
【００５８】
【発明の効果】
本発明にかかる異常警報装置によれば、ビルなど電気施設に漏電等の異常を遠隔から通信回線を通じて監視し、異常発生を主任技術者等に電話をかけて音声で通報するので、携帯電話など一般の電話機を利用して異常の発生を通知することができる。また、確認信号が返送されたことを条件に通報処理を完了させるので、通報先の主任技術者等が実際に異常の発生を認識したことをもって通報処理が完了し、より確実な通報が可能になる。
【図面の簡単な説明】
【図１】本発明の一実施の形態に係る異常警報装置を含む警報システムの全体の構成を示す説明図である。
【図２】本発明の一実施の形態に係る異常警報装置の中央通報装置に表示されるメイン画面を示す説明図である。
【図３】本発明の一実施の形態に係る異常警報装置の中央通報装置に表示される詳細情報画面を示す説明図である。
【図４】本発明の一実施の形態に係る異常警報装置の中央通報装置に表示される手動通報画面を示す説明図である。
【図５】本発明の一実施の形態に係る異常警報装置の中央通報装置に表示されるマスタメンテナンス画面を示す説明図である。
【図６】本発明の一実施の形態に係る異常警報装置の中央通報装置に表示されるコードマスタ登録画面を示す説明図である。
【図７】本発明の一実施の形態に係る異常警報装置の中央通報装置に表示されるビルマスタ登録画面を示す説明図である。
【図８】本発明の一実施の形態に係る異常警報装置の中央通報装置に表示される主任技術者登録画面を示す説明図である。
【図９】本発明の一実施の形態に係る異常警報装置の中央通報装置に表示される管理者登録画面９００を示す説明図である。
【図１０】本発明の一実施の形態に係る異常警報装置の中央通報装置に表示される通報設定画面１０００を示す説明図である。
【図１１】本発明の一実施の形態に係る異常警報装置の中央通報装置が行う処理を示す流れ図である。
【図１２】本発明の一実施の形態に係る異常警報装置の中央通報装置が行う通報処理を示す流れ図である。
【符号の説明】
１０…ビル
２１〜２３…公衆回線
３０…通信制御盤
４０…中央監視システム
４１…本社コンピュータ
４２…コントローラ盤
４３…液晶タッチパネル
５１…プリンタサーバ
５２…メッセージプリンタ
５３…ロギングプリンタ
６０…電話機
７０…カーナビゲーションシステム
７１…衛星配信システム
１００…警報システム
１２０…異常検出装置
１３０…中央通報装置
１３１、１３２…パーソナルコンピュータ
１４１、１４２…音声装置
１４３…切替器
１４４…地図情報通信装置
２００…メイン画面
２０１…履歴表示部
２０２…地区選択部
２０３…出力順選択部
２０４…履歴保存ボタン
２０５…詳細情報ボタン
２０６…手動通報ボタン
２０８…マスタメンテボタン
３００…詳細情報画面
３０１…ビル詳細欄
３０２…担当者欄
３０３…主任技術者欄
３０４…内容欄
３０５…地図欄
４００…手動通報画面
４０１…通報先一覧表示部
４０２…通報ボタン
５００…マスタメンテナンス画面
６００…コードマスタ登録画面
６０１…項目欄
６０２…種類欄
６０３…編集欄
６０４…登録ボタン
６０５…削除ボタン
７００…ビルマスタ登録画面
７０１…ビル情報欄
７０２…主任技術者欄
７０３…管理者欄
７０４…担当者欄
７０５…警報情報欄
７０６…登録ボタン
７０７…削除ボタン
８００…主任技術者登録画面
８０１…主任技術者一覧
８０２…編集欄
８０３…登録ボタン
８０４…削除ボタン
９００…管理者登録画面
９０１…管理者一覧
９０２…編集欄
９０３…登録ボタン
９０４…削除ボタン
１０００…通報設定画面
【図１】
0004125509.tif 000002
【図２】
0004125509.tif 000003
【図３】
0004125509.tif 000004
【図４】
0004125509.tif 000005
【図５】
0004125509.tif 000006
【図６】
0004125509.tif 000007
【図７】
0004125509.tif 000008
【図８】
0004125509.tif 000009
【図９】
0004125509.tif 000010
【図１０】
0004125509.tif 000011
【図１１】
0004125509.tif 000012
【図１２】
0004125509.tif 000013